(57)【要約】  【課題】任意のタイミングでデータを送信する有線伝送装置を実現することにある。  【解決手段】本発明にかかる有線伝送装置は、第１信号データと、前記第１信号データを制御し又は前記第１信号データの監視する、そのような第２信号データとにそれぞれ第１および第２階層化直交符号を掛け合わせる拡散処理手段と、上記階層化直交符号を掛け合わせた第１信号データと第２信号データとを加算する加算手段と、上記加算された第１信号データと第２信号データとを同一伝送路上で受信側に伝送する手段と、送信側から送信された受信データに、送信側で前記受信データに送信前に掛け合わせられた第１および第２階層化直交符号を掛け合わせる逆拡散処理手段とを備える。【選択図】  図１
2006279819.tif 000002
【特許請求の範囲】
【請求項１】
第１信号データと、前記第１信号データを制御し又は前記第１信号データを監視する、そのような第２信号データとに、それぞれ第１および第２階層化直交符号を掛け合わせる拡散処理手段と、
前記階層化直交符号を掛け合わせた第１信号データと第２信号データとを加算する加算手段と、
前記加算された第１信号データと第２信号データとを同一伝送路上で受信側に伝送する手段と、
送信側から送信された受信データに、送信側で前記受信データに送信前に掛け合わせられた第１および第２階層化直交符号を掛け合わせる逆拡散処理手段と、
を備える有線伝送装置。
【請求項２】
前記第１信号データは、伝送フレームに含まれる主信号データであり、前記第２信号データは、前記伝送フレーム中のオーバヘッドデータであり、
前記逆拡散手段は、前記受信データに第１階層化直交符号を掛け合わせることで主信号データを分離し、前記受信データに第２階層化直交符号を掛け合わせることでオーバヘッドデータを分離する請求項１に記載の有線伝送装置。
【請求項３】
伝送されるデータの宛先アドレスに対応して識別可能に構成される階層化直交符号を掛け合わせる拡散処理手段と、
前記階層化直交符号を掛け合わせたデータを受信側に伝送する手段と、
送信側から送信された受信データに、当該装置の受信アドレスに対応する階層化直交符号を掛け合わせる逆拡散処理手段と、
を備える有線伝送装置。
【請求項４】
時分割多重有線通信路にて伝送されるべきデータのタイムスロットに対応して識別可能に構成される階層化直交符号を掛け合わせる拡散処理手段と、
前記階層化直交符号を掛け合わせたデータを受信側に伝送する手段と、
送信側から送信された受信データに、所望のタイムスロットに対応する階層化直交符号を掛け合わせる逆拡散処理手段と、
を備える有線伝送装置。
【請求項５】
屋内電力線に接続される電力線インタフェースと、
前記屋内電力線に接続される機器に対応して識別可能に構成される階層化直交符号を掛け合わせる拡散処理手段と、
前記階層化直交符号を掛け合わせたデータを電力線に伝送する手段と、
前記機器から送信された受信データに、所望の機器に対応する階層化直交符号を掛け合わせることにより当該機器からのデータを分離する有線伝送装置。
【発明の詳細な説明】
【技術分野】
【０００１】
本発明は、有線伝送装置に関する。
【背景技術】
【０００２】
近年、多様化する通信網において、いくつか主流となる伝送方式がある。一般的にデバイス間やＰＣＢ（Print Circuit Board）間などのような装置内における伝送方式では、
データ系信号、制御系信号、及びタイミング系信号に分類され、それぞれ物理的に異なる通信線を用いて送受信される。図１７は、ＰＣＢ（Print Circuit Board）等のデバイス
間が平行配線で接続された場合の構成例を示している。デバイスＡとデバイスＢとは、６４ｋｂｉｔ／ｓ（キロビット・パー・セコンド）の通信速度を持つ通信線１００１及び１００２と、１６ｋｂｉｔ／ｓの通信速度を持つ通信線１００３により接続されている。この場合に、デバイスＡ及びＢは、通信線１００１―１００３をそれぞれ主信号系ライン、低速主信号系ライン、制御系・タイミング系ラインとして利用する。
【０００３】
同様の構成として、図１８は、デバイスＡとデバイスＢとが主信号系ライン１０１１と制御系ライン１０１２の２本の通信線で接続されている例を示す。このように、帯域別若しくはデータ種別にそれぞれ配線を分ける場合、当然に、通信線の数が増大する。
【０００４】
そこで、通信線数を増やさないように、送信すべきデータを多重化し送信する方法が採られる。図１９は、多重化送信する場合のデバイス構成を示している。デバイスＡ及びＢは１本の通信線１０１３で接続されている。送信側となるデバイスＡでは、主信号データ及び制御データが時分割多重部１０１４にて多重化され、通信線１０１３を通してデバイスＢへ送信される。
【０００５】
図２０は、図１９に示す構成において、デバイスＡが多重送信する際のデータ送信のタイミングチャートを示す。図１８に示すように主信号データ及び制御データがそれぞれ別々の通信線で送信される場合には、主信号データＤ１〜Ｄ１０、及び制御データＣ１が図２０の１０２０に示すタイミングで送信される。これに対し、図１９に示す構成では、制御データＣ１を送信するタイミングで主信号データＤ３及びＤ４の送信を一度停止させる必要がある。
【０００６】
他方、ＩＰ（Internet Protocol）ネットワーク、ＡＴＭ（Asynchronous Transfer Mode）ネットワーク、ＳＤＨ（Synchronous Digital Hierarchy）／ＳＯＮＥＴ（Synchronous Optical NETwork）等による伝送方式では、各種のデータにヘッダ情報（宛先アドレス
、データ種別、タイミング情報、制御情報など）の付加された通信パケット／フレームが送受信される。ＳＤＨ／ＳＯＮＥＴ伝送では、フレームが網同期され伝送される。そして、そのフレームは、ペイロード部と呼ばれる主信号データ部と、オーバーヘッド部と呼ばれる制御情報・タイミング情報・その他の情報部とに、時分割多重されマッピング（配置）される。
【０００７】
図２１は、ＳＤＨ通信デバイスの機能構成を示す。ＳＤＨ通信デバイスでは主信号データとセクションオーバヘッドデータがそれぞれ生成され（主信号データ生成部１０４２、オーバヘッドデータ生成部１０４３）、それらのデータから送信データが生成される（送信データ生成部１０４４）。図２２は、図２１に示す構成におけるデバイスＡのデータ送信タイミングチャートを示す。デバイスＡは、主信号データにセクションオーバヘッド（ＯＨ）を付加し、送信データを生成する。このとき、主信号データＤ１及びＤ２に１つのセクションオーバヘッドが付加され、主信号データＤ３及びＤ４にセクションオーバヘッ
ドが付加される。
【０００８】
また、上述のようなパケット通信方式では、主信号データ用のパケット、監視用のパケット、制御用のパケットというようにパケット毎に種別を持たせる方法も採られる。図２３は、従来のパケット多重されるデバイスの機能構成を示す図である。デバイスＡでは、主信号パケット、監視パケット、制御パケットが生成され（主信号パケット生成部１０６４、監視パケット生成部１０６３、制御パケット生成部１０６２）、それらがパケット多重され（時分割パケット多重処理部１０６１）、デバイスＢへ送信される。
【０００９】
図２４は、図２３に示す構成において、デバイスＡが送信するデータのタイミングチャートを示す。デバイスＡは、主信号パケットＤ２を送信するタイミング（Ｔ２）で、制御パケットＣ１を送信する必要がある。また、主信号パケットＤ３を送信するタイミングで監視パケットＭ１及び制御パケットＣ２を送信する必要がある。その結果、主信号データＤ２とＤ３との間に、制御パケットＣ１が挿入され、主信号データＤ３の後には、監視パケットＭ１及び制御パケットＣ２が挿入される。つまり、主信号データは、監視パケット及び制御パケットを挿入するタイミングで一度送信が停止されることになる。
【００１０】
また、近年、電力線（コンセント等）を利用した宅内電線ネットワークが検討されている。これは、各部屋の家電製品をネットワークに接続し、それら家電製品の集中管理等を目的とする。その他の宅内ネットワークを構築する通信方式としては、ＣＤＭＡ（Code Division Multiple Access）等を利用した無線ＬＡＮ（Local Area Network）方式がある
。しかし、この無線ＬＡＮ方式では、壁、床、天井などの障壁により不感帯が存在するため、各部屋に配置されている家電製品へのネットワークを構築するのに不向きである。
【００１１】
これにより、各部屋への電力線を利用した宅内電線ネットワークが検討され、インフラ面や無線による通信方式の欠点の克服を図っている。この宅内電線ネットワークは、今後の普及が見込まれる。
【００１２】
なお、本願発明に係る先行技術としては、以下の文献に開示されたものがある。
【特許文献１】特開２００１−１４４６５３号公報
【特許文献２】特開２００４−０２３６３９号公報
【発明の開示】
【発明が解決しようとする課題】
【００１３】
しかしながら、上記従来の伝送方式を利用したネットワークシステムには、幾つか課題がある。
【００１４】
主信号データ及び制御データが多重化され、１本の通信線で送信される伝送方式の場合には（図１９参照）、制御データを送信するタイミングにおいて、他方の主信号データの送信を停止させる必要がある（図２０に示すタイミングチャート）。この方式によると制御データが通信されている間は主信号データを送信することができない。すなわち、配線数を増加させないよう各種信号データを多重送信させる場合には、主信号データを連続的に任意のタイミングで送信することができない。
【００１５】
ＳＤＨ／ＳＯＮＥＴ方式では、通信単位となるフレームにはペイロード部と呼ばれる主信号データ部分と、オーバーヘッド部と呼ばれる制御情報・タイミング情報・その他の情報部分とがマッピングされているため、本来伝送可能な帯域がオーバーヘッド部に割り当てられる帯域により圧迫されてしまう（図２２参照）。
【００１６】
また、パケット通信方式において、制御情報・タイミング情報・その他情報等が制御パ
ケット／監視パケットとして割り当てられる方式では、最大通信帯域を主信号パケットとそれ以外のパケットでシェアする必要があるため、主信号パケットは、監視パケット及び制御パケットを送信するタイミングで一度送信が停止されることになる（図２４参照）。この場合にもやはり、主信号パケットを連続的に任意のタイミングで送信することができない。
【００１７】
本発明の目的は、任意のタイミングでデータを送信することができる有線伝送装置を実現することである。
【課題を解決するための手段】
【００１８】
本発明は、上述した課題を解決するために以下の構成を採用する。即ち、本発明は、第１信号データと、前記第１信号データを制御し又は前記第１信号データを監視する、そのような第２信号データとに、それぞれ第１および第２階層化直交符号を掛け合わせる拡散処理手段と、上記階層化直交符号を掛け合わせた第１信号データと第２信号データとを加算する加算手段と、上記加算された第１信号データと第２信号データとを同一伝送路上で受信側に伝送する手段と、送信側から送信された受信データに、送信側で前記受信データに送信前に掛け合わせられた第１および第２階層化直交符号を掛け合わせる逆拡散処理手段と、を備える有線伝送装置についてのものである。
【００１９】
本発明では、信号データの種類に応じた階層化直交符号により拡散され多重化された送信データを送信する。また、受信側では、受信すべき信号データの種類に応じた階層化直交符号により、拡散多重化されたデータから必要なデータが取得される。
【００２０】
従って、本発明によれば、通信線を減らすことによりデータを多重送信する必要がある場合でも、送信タイミングを考慮することなく、任意のタイミングでデータ送信することが可能となる。
【００２１】
また、本発明に係る優先伝送装置は、上記第１信号データが、伝送フレームに含まれる主信号データであり、上記第２信号データが、上記伝送フレーム中のオーバヘッドデータであり、上記逆拡散手段が、上記受信データに第１階層化直交符号を掛け合わせることで主信号データを分離し、上記受信データに第２階層化直交符号を掛け合わせることでオーバヘッドデータを分離する。
【００２２】
本発明では、主信号データ及びオーバヘッドデータそれぞれに対して、それぞれに対応する階層化直交符号が掛け合わされ、掛け合わされたそれぞれのデータが足し合わされることにより、送信データが生成される。受信側の装置では、当該データに対して、送信側で使用された階層化直交符号により逆拡散される（掛け合わされ、積分される）ことにより、先の主信号データ及びオーバヘッドデータが得られる。
【００２３】
従って、本発明によれば、伝送フレーム中の主信号データとそれ以外のオーバヘッドデータとを分け、そのフレーム中のデータ種類に応じた階層化直交符号によりデータ種別を判別させることができる。これにより、従来必要とされていた伝送フレーム中のオーバヘッド情報用の帯域を、主信号データ帯域として使用することができるようになる。ひいては、主信号データを効率的に任意のタイミングで送信することができるようになる。
【００２４】
また、本発明に係る有線伝送装置は、伝送されるデータの宛先アドレスに対応して識別可能に構成される階層化直交符号を掛け合わせる拡散処理手段と、上記階層化直交符号を掛け合わせたデータを受信側に伝送する手段と、送信側から送信された受信データに、当該装置の受信アドレスに対応する階層化直交符号を掛け合わせる逆拡散処理手段とを備えるものである。
【００２５】
本発明では、宛先アドレスに対応して階層化直交符号が割り当てられており、データを送信する際には、その宛先に対応する階層化直交符号がその送信されるべきデータに掛け合わされ、多重化された送信データが出力される。一方、受信側では、多重送信されてきたデータを受信アドレスに対応する階層化直交符号を掛け合わせることにより、のデータを取得する。
【００２６】
従って、本発明によれば、宛先情報が含まれる伝送データから当該宛先情報を省くことができ、その宛先アドレス情報分の通信帯域を削減することできる。
【００２７】
また、本発明に係る有線伝送装置は、時分割多重有線通信路にて伝送されるべきデータのタイムスロットに対応して識別可能に構成される階層化直交符号を掛け合わせる拡散処理手段と、上記階層化直交符号を掛け合わせたデータを受信側に伝送する手段と、送信側から送信された受信データに、所望のタイムスロットに対応する階層化直交符号を掛け合わせる逆拡散処理手段とを備えるものである。
【００２８】
これにより、本発明によれば、空きタイムスロットを検索するといった送信タイミングを考慮することなく、送信したい任意のタイミングによりデータ送信することが可能となる。
【００２９】
また、本発明に係る有線伝送装置は、屋内電力線に接続される電力線インタフェースと、上記屋内電力線に接続される機器に対応して識別可能に構成される階層化直交符号を掛け合わせる拡散処理手段と、上記階層化直交符号を掛け合わせたデータを電力線に伝送する手段と、上記機器から送信された受信データに、所望の機器に対応する階層化直交符号を掛け合わせることにより当該機器からのデータを分離するものである。
【００３０】
本発明では、電力線を用いたネットワークにおいて、電力線に接続される機器にデータを送信する際には、その宛先機器に対応する階層化直交符号がその送信されるべきデータに掛け合わされ、多重化された送信データが出力される。一方、受信側では、多重送信されてきたデータが所望の機器に対応する階層化直交符号が掛け合わされることにより、データが取得される。
【００３１】
従って、本発明では、電力線伝送における元の狭帯域データを階層化直交符号により広帯域に変換され伝送されるため、電力線上の広帯域ノイズが重畳した場合でも、逆拡散処理により、拡散コードと相関関係を持たないノイズを除去することが可能となる。
【００３２】
なお、本発明は、以上の何れかの機能を実現させるプログラムであってもよい。また、本発明は、そのようなプログラムをコンピュータが読み取り可能な記憶媒体に記録してもよい。
【発明の効果】
【００３３】
本発明によれば、通信線を増加させることなく、任意のタイミングでデータ送信することができる有線伝送装置を実現することができる。
【発明を実施するための最良の形態】
【００３４】
以下、図面を参照して、本発明の実施形態に係る有線伝送装置について説明する。以下に示す実施形態の構成は例示であり、本発明は以下の実施形態の構成に限定されない。
【００３５】
［実施形態における通信原理］
本発明の実施形態を説明するにあたって、まず本発明の実施形態における通信原理につ
いて説明する。
【００３６】
〔第一通信原理〕
図１は、本発明の実施形態における第一通信原理を説明する図である。図１には、本発明に係る有線伝送装置Ａ及びＢ（以降、装置Ａ及びＢと表記する）が１本の通信線１００により接続される構成が示される。以下に、第一通信原理について図１を用いて説明する。
【００３７】
装置Ａにおいて、それぞれ種類の異なるデータ（ＤＴ１、ＤＴ２、及びＤＴ３）が送信される際には、データ種別に応じた階層化直交符号（符号Ａ、Ｂ及びＣ）が掛け合わされ（拡散部９１、９２及び９３）、その掛け合わされたデータがそれぞれ加算され（加算部９４）、送信データが生成される。生成された送信データが装置Ｂへ送信される。
【００３８】
当該送信データを受信した装置Ｂでは、それぞれ送信側の装置Ａで使用された階層化直行符号（符号Ａ、Ｂ及びＣ）により逆拡散される（逆拡散部９５、９６及び９７）ことにより、当該送信データからそれぞれ多重されているデータ（ＤＴ１、ＤＴ２及びＤＴ３）が取得される。
【００３９】
このように、第一通信原理では、データ種別に応じた階層化直交符号により拡散され多重化された送信データを送信する。また、受信側では、受信したいデータ種別に応じた階層化直交符号により、拡散多重化されたデータから必要なデータが取得される。これにより、通信線を減らすことによりデータを多重送信する必要がある場合でも、送信タイミングを考慮することなく、任意のタイミングでデータ送信することが可能となる。
【００４０】
〔第二通信原理〕
次に、本発明の実施形態における第二通信原理について図２を用いて説明する。図２は、本発明の実施形態における第二通信原理を示す図である。図２には、本発明に係る有線伝送装置Ａ、Ｂ、Ｃ及びＤがそれぞれ通信線１４０、１４１、１４２及び１４３により接続される構成が示されている。図２は、装置Ａから装置Ｂ、Ｃ及びＤ方向へデータが送出され、装置Ｂ、Ｃ及びＤからも装置Ａに対してデータが送出される様子を示す。
【００４１】
装置Ａでは、それぞれ種類の異なるデータ（ＤＴ１、ＤＴ２、及びＤＴ３）が装置Ｂ、Ｃ及びＤ方向へ送出される際には、宛先に応じた階層化直交符号（符号Ａ、Ｂ及びＣ）が掛け合わされ、その掛け合わされたデータがそれぞれ加算され、送信データが生成される。生成された送信データが装置Ｂ方向へ送出される。
【００４２】
一方、装置Ｂ、Ｃ及びＤは、それぞれ自分宛のデータのみを分離（ＤＲＯＰ）させる。すなわち、装置Ｂは、装置Ａからのデータを受信すると、当該受信データを自装置に対応する符号Ａにより逆拡散することにより、当該受信データから多重されているデータ（ＤＴ１）を分離させる。
【００４３】
一方で、装置Ｂは、装置Ａに対して送信したいデータ（ＤＴ１０）に対し階層化直交符号Ｘを用いて拡散処理し、その拡散されたデータをＤＲＯＰされた後の受信データと足し合わし、新たな送信データとする。その新たな送信データは装置Ｃ方向へ送出される。このとき、新たな送信データには、装置Ｃ及びＤを宛先とするデータ（ＤＴ２及び３）が残存しており、その残存された状態で装置Ｃ方向へ送出される（ＴＨＲＵされる）。
【００４４】
装置Ｃ及びＤにおいても装置Ｂと同様に処理される。装置Ｃでは、符号ＢによりＤＴ２がＤＲＯＰされ、装置Ａ宛のＤＴ２０が符号Ｙにて拡散されたデータが足し合わされる。装置Ｄでは、符号ＣによりＤＴ３がＤＲＯＰされ、装置Ａ宛のＤＴ３０が符号Ｚにて拡散
されたデータが足し合わされる。
【００４５】
このように、装置Ｂ->装置Ｃ->装置Ｄと装置Ａ宛のデータが順次加算されるため、送信データには桁上げビットが必要となる（２個加算->１ビット桁上げ、３―４個加算->２ビット桁上げ、５−８個加算->３ビット）。なお、ＤＲＯＰしたデータ分だけ減算処理するようにしてもよい。
【００４６】
このように、第二通信原理では、宛先に応じた階層化直交符号により拡散され多重化された送信データが送信される。また、受信側では、自分宛のデータに応じた階層化直交符号により、拡散多重されたデータから必要なデータが取得される。これにより、データ中に宛先アドレス情報が不要となり、その宛先アドレス情報分の通信帯域を削減することができる。また、時分割多重されている場合のタイムスロット等を考慮する必要がないため、通信帯域を有効に利用することができる。
【００４７】
例えば、図２の構成を従来の時分割データ伝送方式に置き換えた場合には、装置Ａから装置Ｄにデータを伝送する場合、各装置の通信区間に装置Ａと装置Ｄのデータ通信用にタイムスロットを確保する必要がある。しかし、第二通信原理を用いることにより、そのような考慮をする必要がなくなる。
【００４８】
［第一実施形態］
以下、本発明の第一実施形態に係る有線伝送装置について説明する。
【００４９】
〔装置構成〕
第一実施形態に係る有線伝送装置の機能構成について、図３を用いて以下に説明する。図３は、第一実施形態における有線伝送装置の機能構成を示すブロック図である。図３は、第一実施形態における有線伝送装置Ａ及びＢ（以下、単に装置Ａ及びＢと表記する）が１本の通信線１００で接続されている構成例を示している。このうち、装置Ａについては送信に関する機能構成を、装置Ｂについては受信に関する機能構成を示している。これは、説明の便宜のためであり、装置Ａ及びＢがそれぞれ、送信機能及び受信機能双方持つようにしてもよい。なお、対比される従来装置の機能構成等は、図１８−２０が該当する。
【００５０】
装置Ａ及びＢは、ＣＰＵ（Central Processing Unit）、メモリ、入出力インタフェー
ス等を備え、このＣＰＵによって、以下に示す各機能部が制御される。装置Ａは、主信号データ生成部１０１、制御データ生成部１０２、階層化直交符号生成部１０３、拡散部１０４及び１０５、加算部１０６、及び送信部１０７から構成される。装置Ｂは、主信号データ受信部１１１、制御データ受信部１１２、階層化直交符号生成部１１３、逆拡散部１１４及び１１５、及び受信部１１６から構成される。以下に、上記各機能部について個々に説明する。
【００５１】
〈主信号データ生成部〉
主信号データ生成部１０１は、送信すべき主信号データを生成する。主信号データ生成部１０１は、生成された主信号データを拡散部１０５へ渡す。
【００５２】
〈制御データ生成部〉
制御データ生成部１０２は、送信すべき制御データを生成する。制御データ生成部１０２は、生成された制御データを拡散部１０４へ渡す。
【００５３】
〈階層化直交符号生成部〉
階層化直交符号生成部１０３は、データ種別毎にそれぞれ異なる階層化直交符号を生成する。階層化直交符号生成部１０３は、主信号データ送信用の階層化直交符号を生成し、
その生成された階層化直交符号を拡散部１０５に渡す。同様に、階層化直交符号生成部１０３は、制御データ用の階層化直行符号を生成し、拡散部１０４に渡す。受信側となる装置Ｂの階層化直交符号生成部１１３も同様である。このデータ種別毎の階層化直交符号は、予め決められた符号をメモリに記憶するようにしてもよい。
【００５４】
〈拡散部〉
拡散部１０４及び１０５は、階層化直交符号生成部１０３により生成された符号を、それぞれ送信すべきデータに掛け合わせる（拡散する）。拡散部１０４は、階層化直交符号生成部１０３により生成された階層化直交符号により、制御データを拡散させる。拡散部１０５は、階層化直交符号生成部１０３により生成された階層化直交符号により、主信号データを拡散させる。そして、拡散部１０４及び１０５は、拡散されたデータをそれぞれ加算部１０６に渡す。
【００５５】
〈加算部〉
加算部１０６は、拡散部１０４及び１０５からの拡散されたデータをそれぞれ加算し、１つの送信データとする。加算部１０６は、この送信データを送信部１０７に渡す。
【００５６】
〈送信部〉
送信部１０７は、加算部１０６から渡された送信データを通信線１００へ送出する。
【００５７】
〈受信部〉
受信部１１６は、装置Ａからの送信データを受信する。受信部１１６は、受信されたデータをそのまま、逆拡散部１１４及び１１５にそれぞれ分配する。
【００５８】
〈逆拡散部〉
逆拡散部１１４及び１１５は、受信部１１６から受けたデータを階層化直交符号生成部１１３から受けた階層化直交符号により逆拡散する。逆拡散部１１４は、受信部１１６から受け取ったデータを、階層化直交符号生成部１１３から受け取った階層化直交符号により逆拡散させることにより、制御データを得る。逆拡散部１１５は、受信部１１６から受け取ったデータを、階層化直交符号生成部１１３から受け取った階層化直交符号により逆拡散させることにより、主信号データを得る。
【００５９】
逆拡散部１１４及び１１５は、逆拡散され得られたデータをそれぞれ主信号データ受信部１１１、制御データ受信部１１２へ渡す。
【００６０】
〈主信号データ受信部／制御データ受信部〉
主信号データ受信部１１１は、逆拡散部１１５からの主信号データを受信する。制御データ受信部１１２は、逆拡散部１１４からの制御データを受信する。それら受信されたデータに基づき、主信号データ受信部１１１及び制御データ受信部１１２は動作する。
【００６１】
なお、上記構成では、主信号データ及び制御データに関する機能構成を示しているが、それ以外にデータ種別があった場合も同様に、それに応じたデータ生成部、拡散部、逆拡散部、データ受信部を設ければよい。
【００６２】
〔動作例〕
第一実施形態における有線伝送装置の動作例について、図４を用いて説明する。図４は、図３の装置Ａにおけるデータ送信タイミングチャートである。図４は、装置Ａにおいて、Ｔ１〜Ｔ１０間に主信号データＤ１〜Ｄ１０を送信し、Ｔ３時に制御データＣ１を、Ｔ４時に制御データＣ２をそれぞれ送信することが要求されている場合の例を示す。
【００６３】
この場合、主信号データ生成部１０１は主信号データＤ１〜Ｄ１０を生成し、制御データ生成部１０２は制御データＣ１及びＣ２を生成する。階層化直交符号生成部１０３では、主信号データ及び制御データそれぞれに対応する階層化直交符号が生成される。
【００６４】
主信号データＤ１〜Ｄ１０は、拡散部１０５により、主信号データに対応する階層化直交符号が用いられ拡散処理される。拡散処理された主信号データは、加算部１０６に渡される。同様に、制御データＣ１及びＣ２は、拡散部１０４により、制御データに対応する階層化直交符号により拡散処理される。拡散処理された制御データは、加算部１０６に渡される。
【００６５】
各拡散データは、加算部１０６により加算処理され、送信データとして生成される（図４に示す（３）送信データ）。これにより、送信データ中のＴ３及びＴ４時のデータは、それぞれ拡散され多重化されたデータとなる（図４に示すＤ３＋Ｃ１、及びＤ４＋Ｃ２）。
【００６６】
〈第一実施形態における作用／効果〉
第一実施形態による有線伝送装置では、主信号データ及び制御データそれぞれに対して、それぞれに対応する階層化直交符号が掛け合わされ、掛け合わされたそれぞれのデータが足し合わされることにより、送信データが生成される。この送信データを受信した有線伝送装置では、当該送信データに対して、送信側で使用された階層化直交符号が掛け合わされ、積分されることにより、先の主信号データ及び制御データが得られる。
【００６７】
このように第一実施形態における有線伝送装置では、伝送データの種類に応じた階層化直交符号によりデータ種別を判別させることができるため、少ない通信線でも主信号データの送信を停止させることなく、主信号データ及び制御データをそれぞれ任意のタイミングで送信することができる。
【００６８】
［第二実施形態］
以下、本発明の第二実施形態における有線伝送装置について説明する。先に説明した第一実施形態における有線伝送装置は、主信号データと制御データとを分けて送信するタイプの伝送方式を想定していた。第二実施形態における有線伝送装置は、ＳＤＨ／ＳＯＮＥＴ等のようなオーバヘッドデータと呼ばれるヘッダ情報を含むフレームを送受信する伝送方式を想定する。
【００６９】
〔装置構成〕
第二実施形態に係る有線伝送装置の機能構成について、図５を用いて説明する。図５は、第二実施形態における有線伝送装置の機能構成を示すブロック図である。図５は、第二実施形態における有線伝送装置Ａ及びＢ（以下、単に装置Ａ及びＢとも表記する）が１本の通信線１００で接続されている構成例を示している。このうち、装置Ａについては送信に関する機能構成を、装置Ｂについては受信に関する機能構成を示している。これは、説明の便宜のためであり、装置Ａ及びＢはそれぞれ、送信機能及び受信機能双方持つようにしてもよい。なお、第二実施形態に対比される従来装置の機能構成等については、図２１及び２２が該当する。
【００７０】
装置Ａ及びＢは、オーバヘッドデータ生成部１４１、オーバヘッドデータ受信部１４２以外は、全て第一実施形態と同様の機能構成を持つ。以下の説明では、第一実施形態における装置とは異なる機能についてのみ説明し、同様の機能部については説明を省略する。
【００７１】
〈オーバヘッドデータ生成部〉
オーバヘッドデータ生成部１４１は、送信すべきオーバヘッドデータを生成する。オー
バヘッドデータとは例えばＳＤＨにおけるセクションオーバヘッドである。オーバヘッドデータ生成部１４１は、生成されたオーバヘッドデータを拡散部１０４へ渡す。
【００７２】
〈階層化直交符号生成部〉
階層化直交符号生成部１０３は、主信号データに対応する階層化直交符号と、オーバヘッドデータに対応する階層化直交符号とをそれぞれ生成し、生成された階層化直交符合をそれぞれ対応する拡散部１０４及び１０５に渡す。
【００７３】
〈拡散部〉
拡散部１０４は、オーバヘッドデータ用の階層化直交符号を送信すべきオーバヘッドデータに掛け合わせ（拡散し）、拡散されたデータを加算部１０６に渡す。
【００７４】
〈逆拡散部〉
逆拡散部１１４は、受信部１１６からのデータを階層化直交符号生成部１１３からの階層化直交符号により逆拡散させることにより、装置Ａからの送信データからオーバヘッドデータを得る。逆拡散部１１４は、逆拡散され得られたオーバヘッドデータをオーバヘッドデータ受信部１４２へ渡す。
【００７５】
〈オーバヘッドデータ受信部〉
オーバヘッドデータ受信部１４２は、逆拡散部１１４からのオーバヘッドデータを受信する。以降、装置Ｂは、主信号データ受信部１１１により受信された主信号データと、オーバヘッドデータ受信部１４２により受信されたオーバヘッドデータとに基づき、動作する。
【００７６】
なお、上記構成では、主信号データ及びオーバヘッドデータに関する機能構成を示しているが、オーバヘッドデータを細分化し、その細分化された情報に応じたデータ生成部、拡散部、逆拡散部、データ受信部を設けるようにしてもよい。
【００７７】
〔動作例〕
第二実施形態における有線伝送装置の動作例について、図６を用いて説明する。図６は、図５の装置Ａにおけるデータ送信タイミングチャートである。図６は、装置Ａにおいて、Ｔ１〜Ｔ６時間に主信号データＤ１〜Ｄ６を送信することが要求されている場合の例を示す。また、当該主信号データは、送信されるフレームに応じてオーバヘッドデータが付加される。
【００７８】
この場合、主信号データ生成部１０１は主信号データＤ１〜Ｄ６を生成し、オーバヘッドデータ生成部１４１はオーバヘッドデータを生成する。階層化直交符号生成部１０３では、主信号データ及びオーバヘッドデータそれぞれに対応する階層化直交符号が生成される。
【００７９】
主信号データＤ１〜Ｄ６は、拡散部１０５で、主信号データに対応する階層化直交符号により拡散処理される。拡散処理された主信号データは、加算部１０６に渡される。同様に、オーバヘッドデータは、拡散部１０４で、オーバヘッドデータに対応する階層化直交符号により拡散処理される。拡散処理されたオーバヘッドデータは、加算部１０６に渡される。
【００８０】
各拡散データは、加算部１０６により加算処理され、送信データとして生成される（図６に示す（３）送信データ）。これにより、送信データ中のＴ１及びＴ４時のデータは、それぞれ拡散され多重化されたデータとなる（図６に示すＯＨ＋Ｄ１、及びＯＨ＋Ｄ４）。
【００８１】
〈第二実施形態における作用／効果〉
第二実施形態による有線伝送装置では、主信号データ及びオーバヘッドデータそれぞれに対して、それぞれに対応する階層化直交符号が掛け合わされ、掛け合わされたそれぞれのデータが足し合わされることにより、送信データが生成される。このデータを受信した有線伝送装置では、当該データに対して、送信側で使用された階層化直交符号が逆拡散される（掛け合わされ、積分される）ことにより、先の主信号データ及びオーバヘッドデータが得られる。
【００８２】
このように第二実施形態における有線伝送装置では、伝送フレーム中の主信号データとそれ以外のオーバヘッド部とを分け、そのフレーム中のデータ種類に応じた階層化直交符号によりデータ種別を判別させることができる。これにより、従来必要とされていた伝送フレーム中のオーバヘッド情報用の帯域を、主信号データ帯域として使用することができるようになる。ひいては、主信号データを効率的に任意のタイミングで送信することができるようになる。
【００８３】
［第三実施形態］
以下、本発明の第三実施形態における有線伝送装置について説明する。第三実施形態における有線伝送装置は、ＳＤＨ／ＳＯＮＥＴ等のフレームやＩＰのパケットなどを通信単位とする伝送方式において、データの種別毎にパケット（フレーム）化される伝送方式を想定する。
【００８４】
〔装置構成〕
第三実施形態に係る有線伝送装置の機能構成について、図７を用いて説明する。図７は、第三実施形態における有線伝送装置の機能構成を示すブロック図である。図７は、第三実施形態における有線伝送装置Ａ及びＢ（以下、単に装置Ａ及びＢとも表記する）が１本の通信線１００で接続されている構成例を示している。このうち、装置Ａについては送信に関する機能構成を、装置Ｂについては受信に関する機能構成を示している。これは、説明の便宜のためであり、装置Ａ及びＢはそれぞれ、送信機能及び受信機能双方持つようにしてもよい。なお、第三実施形態に対比される従来装置の機能構成等については、図２３及び２４が該当する。
【００８５】
装置Ａは、主信号パケット生成部１６１、監視パケット生成部１６２、制御パケット生成部１６３、拡散部１６５、１６６及び１６７、階層化直交符号生成部１６４、加算部１６８、送信部１６９から構成される。装置Ｂは、主信号パケット受信部１７１、監視パケット受信部１７２、制御パケット受信部１７３、逆拡散部１７５、１７６及び１７７、階層化直交符号生成部１７４、受信部１７８から構成される。
【００８６】
すなわち、パケット種別に応じた機能部（主信号パケット生成部１６１、監視パケット生成部１６２、制御パケット生成部１６３、主信号パケット受信部１７１、監視パケット受信部１７２、制御パケット受信部１７３）を有し、それに対応する拡散部、及び逆拡散部を有することにおいて、第一実施形態と同様である。
【００８７】
〈主信号パケット生成部／監視パケット生成部／制御パケット生成部〉
主信号パケット生成部１６１、監視パケット生成部１６２及び制御パケット生成部１６３は、送信すべき各種パケットをそれぞれ生成する。主信号パケットは拡散部１６７に、監視パケットは拡散部１６６に、制御パケットは拡散部１６５にそれぞれ渡される。
【００８８】
〈階層化直交符号生成部〉
階層化直交符号生成部１６４は、各種パケットに対応する階層化直交符号をそれぞれ生
成し、生成された階層化直交符号をそれぞれに対応する拡散部１６５、１６６及び１６７に渡す。
【００８９】
〈拡散部〉
拡散部１６５は、制御パケット用の階層化直交符号を制御パケット生成部１６３から受け取った制御パケットに掛け合わせ（拡散し）、拡散されたデータを加算部１６８に渡す。拡散部１６６は、監視パケット用の階層化直交符号を監視パケット生成部１６２から受け取った監視パケットに掛け合わせ（拡散し）、拡散されたデータを加算部１６８に渡す。拡散部１６７は、主信号パケット用の階層化直交符号を主信号パケット生成部１６１から受け取った主信号パケットに掛け合わせ（拡散し）、拡散されたデータを加算部１６８に渡す。
【００９０】
〈加算部〉
加算部１６８は、拡散部１６５、１６６及び１６７からの拡散されたデータをそれぞれ加算し、１つの送信データとする。加算部１６８は、この送信データを送信部１６９に渡す。
【００９１】
〈送信部〉
送信部１６９は、加算部１６８から渡された送信データを通信線１００へ送出する。
【００９２】
〈受信部〉
受信部１７８は、装置Ａからの送信データを受信する。受信部１７８は、受信されたデータをそのまま、逆拡散部１７５、１７６及び１７７にそれぞれ分配する。
【００９３】
〈逆拡散部〉
逆拡散部１７５、１７６及び１７７は、受信部１７８から受け取ったデータを、階層化直交符号生成部１７４から受け取った階層化直交符号により逆拡散する。逆拡散部１７７は、受信部１７８から受け取ったデータを主信号パケット用の階層化直交符号により逆拡散させることにより、データから主信号パケットを得る。逆拡散部１７６は、受信部１７８から受け取ったデータを監視パケット用の階層化直交符号により逆拡散させることにより、データから監視パケットを得る。逆拡散部１７５は、受信部１７８から受け取ったデータを制御パケット用の階層化直交符号により逆拡散させることにより、データから制御パケットを得る。
【００９４】
逆拡散部１７５、１７６及び１７７は、逆拡散され得られたデータをそれぞれ主信号パケット受信部１７１、監視パケット受信部１７２、及び制御パケット受信部１７３へ渡す。
【００９５】
〈主信号パケット受信部／監視パケット受信部／制御パケット受信部〉
主信号パケット受信部１７１、監視パケット受信部１７２、及び制御パケット受信部１７３はそれぞれ、逆拡散部からの各種データに基づき、動作する。
【００９６】
なお、上記構成では、主信号パケット、監視パケット及び制御パケットに関する機能構成を示しているが、それ以外のパケットに細分化し、その細分化されたパケットに応じたデータ生成部、拡散部、逆拡散部、データ受信部を設けるようにしてもよい。
【００９７】
〔動作例〕
第三実施形態における有線伝送装置の動作例について、図８を用いて説明する。図８は、図７の装置Ａにおけるデータ送信タイミングチャートである。図８は、装置Ａにおいて、Ｔ１〜Ｔ６時間に主信号パケットＤ１〜Ｄ６を送信すること、Ｔ３〜Ｔ４時間に監視パ
ケットＭ１及びＭ２を送信すること、Ｔ２〜Ｔ３時間に制御パケットＣ１及びＣ２を送信することが要求されている場合の例を示す。
【００９８】
この場合、主信号パケット生成部１６１は主信号パケットデータＤ１〜Ｄ６を生成し、監視パケット生成部１６２は監視パケットデータＭ１及びＭ２を生成し、制御パケット生成部１６３は制御パケットＣ１及びＣ２を生成する。階層化直交符号生成部１６４では、主信号パケット、監視パケット及び制御パケットそれぞれに対応する階層化直交符号が生成される。
【００９９】
主信号パケットデータＤ１〜Ｄ６は、拡散部１６７で、主信号パケットに対応する階層化直交符号により拡散処理される。拡散処理された主信号パケットデータは、加算部１６８に渡される。同様に、監視パケットＭ１及びＭ２は、拡散部１６６で、監視パケットに対応する階層化直交符号により拡散処理される。拡散処理された監視パケットデータは、加算部１６８に渡される。制御パケットＣ１及びＣ２は、拡散部１６５で、制御パケットに対応する階層化直交符号により拡散処理される。拡散処理された制御パケットデータは、加算部１６８に渡される。
【０１００】
各拡散データは、加算部１６８により加算処理され、送信データとして生成される（図８に示す（４）送信データ）。このように、送信データ中のＴ２、Ｔ３、Ｔ４時のデータは、それぞれ拡散され多重化されたデータとなる（図８に示すＤ２＋Ｃ１、Ｄ３＋Ｍ１＋Ｃ２、及びＤ４＋Ｍ２）。
【０１０１】
〈第三実施形態における作用／効果〉
第三実施形態による有線伝送装置では、主信号パケット、監視パケット、及び制御パケットそれぞれに対して、それぞれに対応する階層化直交符号が掛け合わされ、掛け合わされたそれぞれのデータが足し合わされることにより、送信データが生成される。この送信データを受信した有線伝送装置では、当該送信データに対して、送信側で使用された階層化直交符号が逆拡散される（掛け合わされ、積分される）ことにより、先の主信号パケット、監視パケット、及び制御パケットが得られる。
【０１０２】
このように第三実施形態における有線伝送装置では、伝送パケット（フレーム）のパケット種別に応じた階層化直交符号により伝送パケットの種別を判別させることができる。これにより、従来時分割され伝送されていたデータ種別毎のパケットを同一時刻に送信することが可能となる。ひいては、各種パケットをそれぞれ任意の送信したいタイミングで送信することができるようになる。
【０１０３】
［第四実施形態］
以下、本発明の第四実施形態における有線伝送装置について説明する。第四実施形態における有線伝送装置は、ＳＤＨ／ＳＯＮＥＴのフレームやＩＰのパケットのように送信データ内にアドレス情報が含まれる伝送方式を想定する。
【０１０４】
〔ネットワーク構成〕
第四実施形態では、本発明に係る有線伝送装置から構成されるネットワーク網と従来のＩＰ網とが接続されるネットワーク構成を想定する。以下に、当該ネットワーク構成について図９を用いて説明する。図９は、第四実施形態におけるネットワーク構成を示す図である。
【０１０５】
有線伝送装置Ａ、Ｂ、Ｃ及びＤ（以下、単に装置Ａ、Ｂ、Ｃ及びＤと表記する）から構成されるＣＤＭＡ網２０１と、装置Ｘ、Ｙ、及びＺから構成されるＩＰ網２０２とが、装置Ａと装置Ｘを中継装置として接続される。装置Ａと装置Ｘとの間は通信線２００により
接続されている。装置Ａは、ＣＤＭＡ網２０１からの伝送データをＩＰパケットに変換し、装置Ｘ方向へ送出する。逆に、ＩＰ網２０２からのＩＰパケットは装置Ｘにより中継され、装置Ａに入力される。
【０１０６】
〔装置構成〕
第四実施形態に係る有線伝送装置の機能構成について、図１０を用いて説明する。図１０は、第四実施形態における有線伝送装置の機能構成を示すブロック図である。図１０は、図９に示す有線伝送装置Ａ（以下、単に装置Ａとも表記する）の機能構成例を示している。装置Ａは、ＣＤＭＡ網２０１内のデータ伝送機能、及びＣＤＭＡ網２０１とＩＰ網２０２とのパケット中継機能を有しており、以下に示す機能部により当該機能が実現される。
【０１０７】
本実施形態における装置Ａは、データバッファ部２１１、アドレス検出部２１２、データ分配部２１３、拡散部２１４、巡回加算部２１５、データ処理部２２１、データ出力部２２２、Ｘアドレス付加部２２３、Ｙアドレス付加部２２４、Ｚアドレス付加部２２５、及び逆拡散部２２６から構成される。また、装置Ａは、全ての装置のＩＰアドレス、及びそれぞれの装置に対応する階層化直交符号（例えば、図１０の“Ｂ用コード”は装置Ｂに対応する階層化直交符号を示す。他も同様。）を保持する。
【０１０８】
〈データバッファ部〉
データバッファ部２１１は、ＩＰ網２０２から受信されるＩＰパケットのデータを一時保持する（図１０に示すＤＡＴＡ１、２及び３）。データバッファ部２１１はこれらのデータをデータ分配部２１３へ渡す。
【０１０９】
〈アドレス検出部〉
アドレス検出部２１２は、ＩＰ網２０２から受信されるＩＰパケットのうちアドレス情報を一時保持する（図１０に示すＡＤＤ（Ｂ）、ＡＤＤ（Ｃ）及びＡＤＤ（Ｄ））。アドレス検出部２１２は、これらアドレス情報をデータ分配部２１３へ渡す。
【０１１０】
〈データ分配部〉
データ分配部２１３は、データバッファ部２１１から受け取ったデータを、アドレス検出部２１２から受け取るそのデータの宛先に対応する拡散部２１４へ分配する。
【０１１１】
〈拡散部〉
各拡散部２１４はそれぞれ、データ分配部２１３から分配されたデータをそのデータの宛先に対応する階層化直交符号と掛け合わせる。ここでは、ＤＡＴＡ１には装置Ｂ用の階層化直交符号が掛け合わされ、ＤＡＴＡ３には装置Ｄ用の階層化直交符号が掛け合わされる。ＤＡＴＡ２は、装置Ｂ及びＣそれぞれに届けられる必要があるため、２つに複製され、１つのＤＡＴＡ２には装置Ｂ用の階層化直交符号が、もう１つのＤＡＴＡ２には装置Ｃ用の階層化直交符号が掛け合わされる。この階層化直交符号は、宛先装置に対応させ、予め保持されるようにしてもよい。各拡散部２１４は、拡散されたデータをそれぞれ巡回加算部２１５へ渡す。
【０１１２】
〈巡回加算部〉
巡回加算部２１５は、各拡散部２１４からそれぞれ渡された拡散されたデータを全て足し合わせ、ＣＤＭＡ網２０１へ送出する。
【０１１３】
〈逆拡散部〉
各逆拡散部２２６は、ＣＤＭＡ網２０１からの拡散多重データを受信すると、各装置に対応する階層化直交符号により当該受信データを順次逆拡散する。まず、逆拡散部２２６
は、自装置用の階層化直交符号（図１０に示すＡ用コード）によりその受信データを逆拡散する。当該受信データに自装置宛のデータが含まれていた場合には、ここでそのデータが分離される。逆拡散部２２６は、自装置宛のデータが分離された場合には、その分離されたデータをデータ処理部２２１へ渡す。
【０１１４】
次に、逆拡散部２２６は、装置Ｘ用の階層化直交符号により受信データを逆拡散する。ここで分離されたデータがあった場合には、逆拡散部２２６はＸアドレス付加部２２３へその分離されたデータを渡す。以降、逆拡散部２２６は、当該受信データを装置Ｙ用の階層化直交符号、装置Ｚ用の階層化直交符号により順次逆拡散し、分離されたデータをＹアドレス付加部２２４、Ｚアドレス付加部２２５へそれぞれ渡す。
【０１１５】
〈データ処理部〉
データ処理部２２１は、自装置宛のデータを受けた場合に、そのデータに対応する処理を行う。
【０１１６】
〈Ｘアドレス付加部／Ｙアドレス付加部／Ｚアドレス付加部〉
Ｘアドレス付加部２２３、Ｙアドレス付加部２２４、Ｚアドレス付加部２２５は、拡散部２２６から受け取ったデータに、それぞれに対応する装置のアドレスを付加し、ＩＰパケットを生成する。生成されたＩＰパケットは、データ出力部２２２へ渡される。
【０１１７】
〈データ出力部〉
データ出力部２２２は、各アドレス付加部により生成されたＩＰパケットをＩＰ網２０２へ出力する。
【０１１８】
〔動作例〕
以下に、第四実施形態における有線伝送装置の動作例について、図１０の装置Ａを例に挙げ、説明する。
【０１１９】
まず、第四実施形態における有線伝送装置の動作のうち、本有線伝送装置のみで構成されるＣＤＭＡ網２０１内のデータ伝送における動作について、図１１を用いて説明する。図１１（Ｂ）は、図１０の装置ＡにおけるＣＤＭＡ網２０１へ送出されるデータの伝送イメージを示す。図１１（Ａ）は、図１１（Ｂ）に示す構成を従来のパケット伝送に置き換えた場合の伝送イメージを示す。
【０１２０】
ＤＡＴＡ１を装置Ｂ宛に、ＤＡＴＡ２を装置Ｂ及びＣ宛に、ＤＡＴＡ３を装置Ｄ宛に送信する際には、それぞれのデータは、各拡散部２１４にて、宛先の装置に対応する階層化直交符号により拡散される。そして、巡回加算部２１５は、装置Ｂ用の階層化直交符号により拡散されたＤＡＴＡ１及び２、装置Ｃ用の階層化直交符号により拡散されたＤＡＴＡ２、装置Ｄ用の階層化直交符号により拡散されたＤＡＴＡ３をそれぞれ足し合わせる。この多重化されたデータはＣＤＭＡ網２０１へ送出される（図１１（Ｂ）に示す多重ＤＡＴＡ２４５）。
【０１２１】
受信側となる装置Ｂでは、上記多重ＤＡＴＡ２４５が受信されると、逆拡散部２２６が、先に装置Ａが使用した自装置用の階層化直交符号と同じ符号を用いることにより、その多重ＤＡＴＡ２４５を逆拡散する。この場合には、その多重ＤＡＴＡ２４５は、装置Ｂ宛とされたＤＡＴＡ１及び２がそれぞれ装置Ｂ用の階層化直交符号により拡散されて含まれているため、このＤＡＴＡ１及び２が分離される。装置Ｃ及びＤにおいても同様に処理される。
【０１２２】
次に、第四実施形態における有線伝送装置のＣＤＭＡ網２０１とＩＰ網２０２とのパケ
ット中継機能に関する動作について説明する。ＩＰ網２０２からのＩＰパケットを受信すると、装置Ａは、データバッファ部２１１及びアドレス検出部２１２にて、受信されたＩＰパケットのデータ部とアドレス部とに分離する。分離されたデータはそれぞれデータ分配部２１３に渡される。
【０１２３】
データ分配部２１３は、分離されたデータを、ＩＰパケットに含まれる宛先情報（例えば、ＭＡＣアドレスやＩＰアドレス）に基づき、送信先となる装置に対応する拡散部２１４に渡す。すなわち、データ分配部２１３は、ＩＰパケットに含まれる宛先情報とその宛先情報に対応する装置の階層化直交符号の相対を管理する。以降の動作は、先に述べたＣＤＭＡ網２０１内のデータ伝送時の動作と同様である。このように、第四実施形態における有線伝送装置は、ＩＰパケットから本発明に係る多重データに変換する。
【０１２４】
逆に、ＣＤＭＡ網２０１からの多重データをＩＰパケットに変換する際の動作を以下に説明する。装置Ａは、先に述べたように、多重データを受信し、自装置用のデータを分離すると、その多重データから転送すべき装置Ｘ、Ｙ及びＺを宛先とするデータを分離する。すなわち、装置Ａは、逆拡散部２２６において、受信された多重データを、装置Ｘ用の階層化直交符号、装置Ｙ用の階層化直交符号、装置Ｚ用の階層化直交符号により、順次逆拡散していく。
【０１２５】
これにより分離されたデータは、対応するアドレス付加部２２３、２２４及び２２５により、装置Ｘ、Ｙ及びＺ用の宛先情報が付加されたＩＰパケットとして生成される。生成されたＩＰパケットがＩＰ網２０２へ送出される。
【０１２６】
〈第四実施形態における作用／効果〉
第四実施形態による有線伝送装置では、装置毎に階層化直交符号が割り当てられており、任意の装置にデータを送信する際には、その宛先装置に対応する階層化直交符号がその送信されるべきデータに掛け合わされ、多重化された送信データが出力される。一方、受信側の装置は、多重送信されてきたデータを自装置用の階層化直交符号により逆拡散することにより、自装置宛のデータを取得する。
【０１２７】
このように、第四実施形態における有線伝送装置では、宛先装置に応じた階層化直交符号が用いられることにより、伝送データの宛先が判別される。これにより、ＩＰパケットのように宛先情報が含まれる伝送データから当該宛先情報を省くことができ、その宛先アドレス情報分の通信帯域を削減することできる。
【０１２８】
また、従来のパケット等に含まれる宛先情報とその宛先装置に対応する階層化直交符号の対応関係を管理することにより、本発明に係る多重データとＩＰパケットとの変換機能を実現することができる。これにより、従来のパケット通信網と本発明に係る通信網との中継装置を実現することが可能となる。
【０１２９】
〔第四実施形態の第一変形例〕
上述の第四実施形態では、装置毎に階層化直交符号を割り当て、当該階層化直交符号をアドレスとして利用している例を示しているが、パケットのアドレス種別に応じた階層化直交符号を割り当てるようにしてもよい。例えば、ＩＰパケットでは、設定されるアドレス情報として、宛先となる個々の装置のアドレスの他、ブロードキャストアドレス、マルチキャストアドレス等がある。ここでは、これらブロードキャストアドレス、マルチキャストアドレスに対応するように階層化直交符号を利用する構成を第四実施形態の第一変形例（以下、本変形例と表記する）として説明する。
【０１３０】
以下に、本変形例における有線伝送装置（以降、単に装置Ａとも表記する）について図
１２を用いて説明する。図１２は、本変形例における有線伝送装置の機能構成を示すブロック図である。本変形例における装置Ａは、第四実施形態で扱われるＩＰパケットの宛先情報に変え、アドレス種別を扱う点において異なるのみであり、基本的には第四実施形態の機能構成と同様である。以下に、第四実施形態とは異なる機能について説明する。
【０１３１】
アドレス検出部２１２は、ＩＰ網２０２からのＩＰパケットに含まれるアドレス種別（アドレス種別Ｘ、Ｙ及びＺ）を検出し、データ分配部２１３へ渡す。データ分配部２１３は、データバッファ部２１１からのデータをアドレス検出部２１２からのアドレス種別に応じて、拡散部２１４へ渡す。拡散部２１４は、アドレス種別に基づいた階層化直交符号を用いて拡散する。
【０１３２】
本変形例では、例えば、アドレス種別Ｘがブロードキャストアドレスを、アドレス種別Ｙ及びＺがそれぞれ別々のマルチキャストアドレスを示すものとしてもよい。この場合、ブロードキャストアドレス（アドレス種別Ｘ）は、全ての装置が受信するためのアドレスであるため、このブロードキャストアドレスに対応する階層化直交符号（種別Ｘ用コード）は全ての装置が持つ必要がある。また、マルチキャストアドレス（アドレス種別Ｙ及びＺ）は、いわゆるグループアドレスであるため、そのマルチキャストアドレスが示すグループに属したい装置は、そのマルチキャストアドレスに対応する階層化直交符号（種別Ｙ用コード及び種別Ｚ用コード）を持つ必要がある。なお、装置Ａは、ＩＰ網２０２とＣＤＭＡ網２０１とのパケット中継機能を有するため、全ての階層化直交符号を持つ。
【０１３３】
また、装置Ａは、多重データを受信した際に、逆拡散部２２６でアドレス種別に対応する階層化直交符号により逆拡散処理をする。図１２に示す例では、アドレス種別Ｘ（ブロードキャストアドレス）に対応するデータのみを装置Ａは自装置の処理のために取り込んでいる（データ処理部２２１へ渡している）。各アドレス種別に応じた階層化直交符号により逆拡散されたデータはそれぞれ、種別Ｘ用アドレス付加部２５１、種別Ｙ用アドレス付加部２５２、種別Ｚ用アドレス付加部２５３により、ＩＰパケット用のブロードキャストアドレス／マルチキャストアドレスが付加されたＩＰパケットとして生成される。
【０１３４】
以下に、本変形例における有線伝送装置によるデータ伝送について、図１３を用いて説明する。図１３（Ｂ）は、本変形例における有線伝送装置のデータ伝送イメージを示し、図１３（Ａ）は、図１３（Ｂ）に示す構成を従来のパケット伝送に置き換えた場合の伝送イメージを示す。
【０１３５】
従来のパケット伝送では、ブロードキャストアドレス（図１３に示すＢＡ）の設定されたＩＰパケットが装置Ａから送信されると、当該アドレスを検出することにより、装置Ｂ、Ｃ及びＤはそのＩＰパケットを受信する。
【０１３６】
本変形例における有線伝送装置では、送信されるデータにブロードキャストアドレスに対応する階層化直交符号が掛け合わされたデータが伝送される。装置Ｂ、Ｃ及びＤは、その伝送データをブロードキャストアドレスに対応する階層化直交符号により逆拡散することにより、そのデータを取り込む。
【０１３７】
〈第四実施形態の第一変形例における作用／効果〉
第四実施形態の変形例による有線伝送装置では、アドレス種別（ブロードキャストアドレス／マルチキャストアドレス）毎に階層化直交符号が割り当てられており、各装置では、当該アドレス種別に応じて、それに対応する階層化直交符号を保有する。
【０１３８】
これにより、ＩＰパケットのようにアドレス種別情報が含まれる伝送データから当該アドレス種別情報を省くことができ、そのアドレス種別情報分の通信帯域を削減することで
きる。
【０１３９】
〔第四実施形態の第二変形例〕
複数の装置から構成されるリングネットワークにおいて時分割多重方式によりデータが伝送されている場合、各装置は、自身に割り当てられたタイムスロットを使ってデータ伝送する。ここでは、各装置に割り当てられたタイムスロットに対応する階層化直交符号を用いてデータ伝送する場合を、第四実施形態の第二変形例（以下、本変形例とも表記する）として、図１４を用いて以下に説明する。図１４（Ｂ）は、本変形例における有線伝送装置によるデータ伝送イメージを示す図である。これに対し、図１４（Ａ）は、図１４（Ｂ）に示す構成を従来の時分割多重方式に置き換えた場合の伝送イメージを示す。また、本変形例では、先に述べた第二通信原理が利用される。
【０１４０】
時分割多重方式では、伝送されるデータは一定の時間(タイムスロット)に区切られている（図１４（Ａ）に示す２６１）。従って、各装置は、自身に割り当てられたタイムスロットのデータを受信することになる。図１４（Ａ）に示す例では、データ（Ｄ６）が本装置に割り当てられたタイムスロットから取得（ＤＲＯＰ）される。そして、他方へ送出する際に、送信したいデータ（Ａ６）が当該タイムスロットに設定される。このように、時分割多重方式では、装置がデータを送信したい場合には、自身に割り当てられたタイムスロットで空のものを使用する必要があり、そのようなタイムスロットがない場合には、送信待ち状態となる。
【０１４１】
一方、本変形例による有線伝送装置では、自身に割り当てられた階層化直交符号によりデータを逆拡散することにより、自身のデータ（Ｄ６）をＤＲＯＰする。そして、データを送信する場合には、本有線伝送装置は、送信したいデータ（Ａ６、７及び８）を拡散処理し、その拡散処理されたデータを伝送データに更に足し合わせ、送信する。
【０１４２】
これにより、本変形例による有線伝送装置は、空きタイムスロットを検索するといった送信タイミングを考慮することなく、送信したい任意のタイミングによりデータ送信することが可能となる。
【０１４３】
［第五実施形態］
以下、本発明の第五実施形態における有線伝送装置について説明する。第五実施形態は、電力線を用いたホームネットワークを構成する有線伝送装置ついてのものである。
【０１４４】
〔ネットワーク構成〕
第五実施形態による有線伝送装置により構成されるホームネットワーク構成について、図１５を用いて以下に説明する。図１５は、第五実施形態におけるネットワーク構成を示す図である。
【０１４５】
本実施形態におけるホームネットワークでは、各種家電製品（エアコン３０２、冷蔵庫３０３、テレビ３０４）が宅内電力線３００によりそれぞれ接続されている。本実施形態における有線伝送装置は、２つの形態を持ち、１つが上記各家電製品に組み込まれる通信チップ３０６、３０７及び３０８（以下、ノードと表記する）であり、もう１つがＰＣ３０１を当該電力線ネットワークに接続するためのゲートウェイ装置３０５（以下、宅内ノードと表記する）である。各家電製品は、本実施形態におけるノード３０６、３０７及び３０８を介してそれぞれ電力線ネットワークに接続される。また、パソコン（ＰＣ）３０１は、ＵＳＢ（Universal Serial Bus）ケーブル３１０により宅内ノード３０５に接続される。
【０１４６】
このネットワーク形態において、ＰＣ３０１は、宅内電力線３００に接続される家電製
品を制御する。ＰＣ３０１による制御には、例えば、各家電製品の状態監視と設定情報の更新が考えられる。なお、本実施形態では、ＰＣ３０１と宅内ノード３０５を別々の装置として構成されるが、宅内ノード３０５を通信チップ化し、ＰＣ３０１内のデバイスとしてＰＣＩ等のバスで接続されるようにしてもよい。
【０１４７】
〔装置構成〕
第五実施形態に係る有線伝送装置の機能構成について、図１６を用いて説明する。図１６は、第五実施形態における有線伝送装置の機能構成を示すブロック図である。図１６には、図１５に示すノード３０６（３０６又は３０７）及び宅内ノード３０５の機能構成例が示されている。
【０１４８】
ノード３０６（３０６又は３０７）は、電力線合成部／分離部３１１、電力線インタフェース３１０、拡散／逆拡散部３１２、及び制御部３１３から構成される。以下、宅内ノード３０６の各機能部について説明する。
【０１４９】
〈電力線インタフェース３１０〉
電力線インタフェース３１０は、電力線ネットワークに接続するための物理的な接続・伝送機能を持つ。電力線インタフェース３１０は、電力線ネットワークからの信号を電力線合成部／分離部へ渡す。
【０１５０】
〈電力線合成部／分離部〉
電力線合成部／分離部３１１は、電力線インタフェース３１０から受けた信号から所定のデータを取得する。また、電力線合成部／分離部３１１は、他の装置へデータを送信する際に、拡散部／逆拡散部３１２から受けたデータを所定の送信形態に変更し、電力線インタフェース部３１０へ渡す。
【０１５１】
〈拡散部／逆拡散部〉
拡散部／逆拡散部３１２は、電力線合成部／分離部３１１からの受信データを自装置用の階層化直交符号により逆拡散させ、当該受信データから自装置宛のデータを分離する。分離されたデータは、制御部３１３に渡される。
【０１５２】
一方、拡散部／逆拡散部３１２は、制御部３１３からのデータに自装置用の階層化直交符号を掛け合わせ、その拡散されたデータを電力線合成部／分離部３１１へ渡す。ここで利用される階層化直交符号は、ノード３０６の場合はエアコン用の階層化直交符号である。同様にノード３０７の場合は、冷蔵庫用の階層化直交符号であり、ノード３０８の場合は、テレビ用の階層化直交符号である。
【０１５３】
〈制御部〉
制御部３１３は、受信したデータに基づいて動作する。例えば、受信されたデータがＰＣ３０１からの状態監視メッセージであった場合には、自装置（エアコン）の稼動状態等の情報を生成するようにしてもよい。また、受信されたデータが設定情報更新を促すメッセージであった場合には、自装置（エアコン）の当該設定情報を変更するようにしてもよい。このメッセージには、設定温度が指定された温度設定コマンドが含まれるようにしてもよい。また、エアコンの起動／停止、起動予約時間等のコマンドであってもよい。
【０１５４】
宅内ノード３０５は、ＵＳＢインタフェース３１５、コマンド分離部／合成部３１６、拡散部３１７、逆拡散部３２１、巡回加算部３１８、電力線合成部／分離部３２０、電力線インタフェース３１９、テレビ用アドレス付加部３２４、エアコン用アドレス付加部３２３、冷蔵庫用アドレス付加部３２２から構成される。以下、宅内ノード３０６の各機能部について説明する。なお、電力線インタフェース部３１９、電力線合成部／分離部３２
０については、ノード３０６と同様であるため、説明を省略する。
【０１５５】
〈ＵＳＢインタフェース〉
ＵＳＢインタフェース３１５は、ＵＳＢ伝送機能を持つ。ＵＳＢインタフェース３１５は、ＰＣ３０１から送信されたデータをＵＳＢケーブルを通して受信する。ＵＳＢインタフェース３１５は、受信されたデータをコマンド分離部／合成部３１６に渡す。また、ＵＳＢインタフェース３１５は、ＰＣ３０１へ送信すべきデータをコマンド分離部／合成部３１６から受け取り、ＵＳＢ伝送方式によりＰＣ３０１方向へ送出する。
【０１５６】
〈コマンド分離部／合成部〉
コマンド分離部／合成部３１６は、ＵＳＢインタフェース３１５から受けた信号から所定のデータ（コマンド情報）を取得し、そのデータの宛先に対応する拡散部３１７へ渡す。また、コマンド分離部／合成部３１６は、ＰＣ３０１へデータ送信する際に、逆拡散部３２１から受けたデータを所定の送信形態に変更し、ＵＳＢインタフェース３１５へ渡す。ここでいう所定の送信形態とは、ＵＳＢによりＰＣ３０１と宅内ノード３０５がやりとりするために規定されたデータフォーマットであり、例えば、送信元／送信先アドレス情報等が付加される。
【０１５７】
コマンド分離部／合成部３１６により処理されるコマンド情報には、例えば、テレビ３０４へのコマンドとして録画コマンド、エアコン３０２へのコマンドとして温度設定コマンド、冷蔵庫３０３へのコマンドとして製氷命令コマンド等が考えられる。当然に上記コマンドに限定されるものではない。
【０１５８】
〈拡散部〉
各拡散部３１７はそれぞれ、コマンド分離部／合成部３１６から分配されたコマンドをそのコマンドの宛先家電製品に対応する階層化直交符号と掛け合わせる。ここでは、録画コマンドデータにはテレビ３０４用の階層化直交符号が掛け合わされ、温度設定コマンドデータにはエアコン３０２用の階層化直交符号が掛け合わされ、製氷命令コマンドには冷蔵庫３０３用の階層化直交符号が掛け合わされる。この階層化直交符号は、宛先電化製品に対応させ、予め保持されるようにしてもよいし、通信により各電化製品から取得するようにしてもよい。各拡散部３１７は、拡散されたデータをそれぞれ巡回加算部３１８へ渡す。
【０１５９】
〈巡回加算部〉
巡回加算部３１８は、各拡散部３１７からそれぞれ渡された拡散されたデータを全て足し合わせ、電力線ネットワーク方向へ送出すべく、電力線合成部／分離部３２０へ渡す。
【０１６０】
〈逆拡散部〉
各逆拡散部３２１は、電力線ネットワークから受信された拡散多重データを電力線合成部／分離部３２０から受け取ると、各電化製品に対応する階層化直交符号により当該受信データを順次逆拡散する。まず、逆拡散部３２１は、テレビ３０４用の階層化直交符号（ＴＶ用コード）によりその受信データを逆拡散する。当該受信データにテレビ３０４からのデータが含まれていた場合には、ここでそのデータが分離される。逆拡散部３２１は、テレビ３０４宛のデータが分離された場合には、その分離されたデータをテレビ用アドレス付加部３２４へ渡す。
【０１６１】
以降、逆拡散部３２１は、当該受信データをエアコン用の階層化直交符号（エアコン用コード）、冷蔵庫用の階層化直交符号（冷蔵庫用コード）により順次逆拡散し、分離されたデータをエアコン用アドレス付加部３２３、冷蔵庫用アドレス付加部３２２へそれぞれ渡す。
【０１６２】
〈テレビ用アドレス付加部／エアコン用アドレス付加部／冷蔵庫用アドレス付加部〉
テレビ用アドレス付加部３２４、エアコン用アドレス付加部３２３、及び冷蔵庫用アドレス付加部３２２は、逆拡散部３２１から受けたデータに送信元情報となるアドレスを付加し、ＰＣ３０１へ送信すべく、コマンド分離部／合成部３１６へ渡す。
【０１６３】
〈第五実施形態における作用／効果〉
第五実施形態による有線伝送装置は、電力線を用いたネットワークにおいて、家電製品毎に設けられ、その家電製品に対応した階層化直交符号が割り当てられる。任意の家電製品にデータを送信する際には、その宛先家電製品に対応する階層化直交符号がその送信されるべきデータに掛け合わされ、多重化された送信データが出力される。一方、受信側の装置では、多重送信されてきたデータが自装置用の階層化直交符号により逆拡散されることにより、自装置宛のデータが取得される。
【０１６４】
このように、第五実施形態における有線伝送装置では、電力線伝送における元の狭帯域データを階層化直交符号により広帯域に変換され伝送されるため、電力線上の広帯域ノイズ（ホワイトノイズなど）が重畳した場合でも、逆拡散処理により、拡散コードと相関関係を持たないノイズを除去することが可能となる。
【０１６５】
さらに、このような電力線を用いたネットワークに本発明を適応させることで、家電ネットワーク機器のインタフェース標準化を計ることができる。また、家電製品の種類毎に、それぞれ専用の階層化直交符号を割り当てることにより、全機種で機器の共通化を計ることができる。
【０１６６】
また、ＵＳＢ等の従来の通信形態から本発明に係る多重データへの変換機能を持たせることにより、パソコン等から電力線ネットワークに接続される家電製品を制御するために、当該パソコンと電力線ネットワークとを接続するためのゲートウェイ装置を実現することができる。
【０１６７】
［その他］
本実施形態は次の発明を開示する。各項に開示される発明は、必要に応じて可能な限り組み合わせることができる。
【０１６８】
（付記１）
第１信号データと、前記第１信号データを制御し又は前記第１信号データを監視する、そのような第２信号データとに、それぞれ第１および第２階層化直交符号を掛け合わせる拡散処理手段と、
前記階層化直交符号を掛け合わせた第１信号データと第２信号データとを加算する加算手段と、
前記加算された第１信号データと第２信号データとを同一伝送路上で受信側に伝送する手段と、
送信側から送信された受信データに、送信側で前記受信データに送信前に掛け合わせられた第１および第２階層化直交符号を掛け合わせる逆拡散処理手段と、
を備える有線伝送装置。
【０１６９】
（付記２）
前記第１信号データは、伝送フレームに含まれる主信号データであり、前記第２信号データは、前記伝送フレーム中のオーバヘッドデータであり、
前記逆拡散手段は、前記受信データに第１階層化直交符号を掛け合わせることで主信号データを分離し、前記受信データに第２階層化直交符号を掛け合わせることでオーバヘッ
ドデータを分離する付記１に記載の有線伝送装置。
【０１７０】
（付記３）
前記第１信号データは、第１の種類の伝送フレームとして構成されるべき主信号データであり、前記第２信号データは、第２の種類の伝送フレームとして構成されるべきオーバヘッドデータであり、
前記加算手段は、前記階層化直交符号を掛け合わせた第１信号データと第２信号データから単一の伝送フレームを構成し、
前記逆拡散手段は、前記単一の伝送フレームから前記第１信号データと第２信号データとを分離する付記１に記載の有線伝送装置。
【０１７１】
（付記４）
伝送されるデータの宛先アドレスに対応して識別可能に構成される階層化直交符号を掛け合わせる拡散処理手段と、
前記階層化直交符号を掛け合わせたデータを受信側に伝送する手段と、
送信側から送信された受信データに、当該装置の受信アドレスに対応する階層化直交符号を掛け合わせる逆拡散処理手段と、
を備える有線伝送装置。
【０１７２】
（付記５）
伝送されるデータのアドレス種別に応じて異なる階層化直交符号を掛け合わせる拡散処理手段と、
前記階層化直交符号を掛け合わせたデータを複数の受信側装置に伝送する手段と、
送信側から送信された受信データから所望のアドレス種別に対応する階層化直交符号を掛け合わせる逆拡散処理手段と、
を備える有線伝送装置。
【０１７３】
（付記６）
時分割多重有線通信路にて伝送されるべきデータのタイムスロットに対応して識別可能に構成される階層化直交符号を掛け合わせる拡散処理手段と、
前記階層化直交符号を掛け合わせたデータを受信側に伝送する手段と、
送信側から送信された受信データに、所望のタイムスロットに対応する階層化直交符号を掛け合わせる逆拡散処理手段と、
を備える有線伝送装置。
【０１７４】
（付記７）
屋内電力線に接続される電力線インタフェースをさらに備える付記１から６のいずれかに記載の有線伝送装置。
【０１７５】
（付記８）
屋内電力線に接続される電力線インタフェースと、
前記屋内電力線に接続される機器に対応して識別可能に構成される階層化直交符号を掛け合わせる拡散処理手段と、
前記階層化直交符号を掛け合わせたデータを電力線に伝送する手段と、
前記機器から送信された受信データに、所望の機器に対応する階層化直交符号を掛け合わせることにより当該機器からのデータを分離する有線伝送装置。
【０１７６】
（付記９）
前記データの伝送によりその階層化直交符号に対応する機器に設定情報を送信する付記８に記載の有線伝送装置。
【０１７７】
（付記１０）
前記データの分離によりその階層化直交符号に対応する機器に対する設定情報を受信する付記８に記載の有線伝送装置。
【図面の簡単な説明】
【０１７８】
【図１】本発明の実施形態における第一通信原理を示す図である。
【図２】本発明の実施形態における第二通信原理を示す図である。
【図３】本発明の第一実施形態における有線伝送装置の機能構成を示す図である。
【図４】第一実施形態における有線伝送装置のデータ送信タイミングを示す図である。
【図５】本発明の第二実施形態における有線伝送装置の機能構成を示す図である。
【図６】第二実施形態における有線伝送装置のデータ送信タイミングを示す図である。
【図７】本発明の第三実施形態における有線伝送装置の機能構成を示す図である。
【図８】第三実施形態における有線伝送装置のデータ送信タイミングを示す図である。
【図９】本発明の第四実施形態におけるネットワーク構成を示す図である。
【図１０】本発明の第四実施形態における有線伝送装置の機能構成を示す図である。
【図１１】第四実施形態における有線伝送装置によるデータ伝送イメージを示す図である。
【図１２】第四実施形態の第一変形例における有線伝送装置の機能構成を示す図である
【図１３】第四実施形態の第一変形例における有線伝送装置によるデータ伝送イメージを示す図である。
【図１４】第四実施形態の第二変形例における有線伝送装置によるデータ伝送イメージを示す図である。
【図１５】本発明の第五実施形態におけるネットワーク構成を示す図である。
【図１６】本発明の第五実施形態における有線伝送装置の機能構成を示す図である。
【図１７】従来のデバイス間通信（平行配線構成）を示す図である。
【図１８】従来のデバイス間通信（平行配線構成２）を示す図である。
【図１９】従来のデバイス間通信（多重伝送構成）を示す図である。
【図２０】多重伝送のデータ送信タイミングを示す図である。
【図２１】ＳＤＨ通信デバイスの機能構成を示す図である。
【図２２】ＳＤＨ通信におけるデータ送信タイミングを示す図である。
【図２３】従来のデバイス間通信（パケット多重構成）を示す図である。
【図２４】多重伝送のデータ送信タイミングを示す図である。
【符号の説明】
【０１７９】
１００、１４０、１４１、１４２、１４３、２００、１００１、１００２、１００３、１０１１、１０１２、１０１３、１０４１  通信線
２０１  ＣＤＭＡ網
２０２  ＩＰ網
９１、９２、９３、１０４、１０５、１６５、１６６、１６７、２１４、３１７  拡散部９５、９６、９７、１１４、１１５、１７５、１７６、１７７、２２６、３２１  逆拡散部
１０１、１０４２  主信号データ生成部
１０２  制御データ生成部
１０３、１１３、１６４、１７４  階層化直交符号生成部
１０６、１６８  加算部
１０７、１６９  送信部
１１６、１７８  受信部
１１１  主信号データ受信部
１１２  制御データ受信部
１４１、１０４３  オーバヘッドデータ生成部
１４２  オーバヘッドデータ受信部
１６１、１０６４  主信号パケット生成部
１６２、１０６３  監視パケット生成部
１６３、１０６２  制御パケット生成部
１７１  主信号パケット受信部
１７２  監視パケット受信部
１７３  制御パケット受信部
２１１  データバッファ部
２１２  アドレス検出部
２１３  データ分配部
２１５、３１８  巡回加算部
２２１  データ処理部
２２２  データ出力部
２２３  Ｘアドレス付加部
２２４  Ｙアドレス付加部
２２５  Ｚアドレス付加部
２４１、２４２、２４３、２４４  ＩＰパケット
２４５  多重データ
２５１  種別Ｘ用アドレス付加部
２５２  種別Ｙ用アドレス付加部
２５３  種別Ｚ用アドレス付加部
２６１  時分割多重データ
３００  電力線
３０１  パーソナルコンピュータ（ＰＣ）
３０２  エアコン
３０３  冷蔵庫
３０４  テレビ（ＴＶ）
３０５  宅内ノード（ゲートウェイ装置）
３０６、３０７、３０８  ノード(通信チップ)
３１５  ＵＳＢインタフェース
３１６  コマンド分離部／合成部
３１９  電力線インタフェース
３２０  電力線合成部／分離部
３２２  冷蔵庫用アドレス付加部
３２３  エアコン用アドレス付加部
３２４  テレビ用アドレス付加部
１０１４  時分割多重部
１０２０  主信号データ及び制御データ
１０４４  送信データ生成部
１０６１  時分割パケット多重処理部
【図１】
2006279819.tif 000003
【図２】
2006279819.tif 000004
【図３】
2006279819.tif 000005
【図４】
2006279819.tif 000006
【図５】
2006279819.tif 000007
【図６】
2006279819.tif 000008
【図７】
2006279819.tif 000009
【図８】
2006279819.tif 000010
【図９】
2006279819.tif 000011
【図１０】
2006279819.tif 000012
【図１１】
2006279819.tif 000013
【図１２】
2006279819.tif 000014
【図１３】
2006279819.tif 000015
【図１４】
2006279819.tif 000016
【図１５】
2006279819.tif 000017
【図１６】
2006279819.tif 000018
【図１７】
2006279819.tif 000019
【図１８】
2006279819.tif 000020
【図１９】
2006279819.tif 000021
【図２０】
2006279819.tif 000022
【図２１】
2006279819.tif 000023
【図２２】
2006279819.tif 000024
【図２３】
2006279819.tif 000025
【図２４】
2006279819.tif 000026